(57)【要約】      （修正有）【課題】パーマネントウェーブ施術時の毛髪へのダメージを軽減することができるパーマネントウェーブ施術方法およびパーマネントウェーブ施術装置を提供する。【解決手段】毛髪に所定の前処理を施した後に、毛髪をロッド４５に巻いて、毛髪のキューティクル間に液体のミストＭを浸透させた状態で、ロッド４５を加温する。ミストＭは、装置本体１０の内部に備えた圧電振動子板により粒径が３μｍ以下の大きさに設定されて生成される。【選択図】図１
2014054379.tif 000002
【特許請求の範囲】
【請求項１】
毛髪に所定の前処理を施した後に、前記毛髪をロッドに巻いて、前記毛髪のキューティクル間に液体のミストを浸透させた状態で、前記ロッドを加温する、ことを特徴とするパーマネントウェーブ施術方法。
【請求項２】
前記ミストの粒径が３μｍ以下の大きさに設定されていることを特徴とする請求項１に記載のパーマネントウェーブ施術方法。
【請求項３】
前記液体がプラチナアミノイオン水であることを特徴とする請求項１または２に記載のパーマネントウェーブ施術方法。
【請求項４】
毛髪に巻いたロッドに通電する通電手段と、前記毛髪のキューティクル間に浸透させる液体のミストを生成する生成手段と、前記液体のミストを毛髪のキューティクル間に浸透させた状態で、前記ロッドに通電して加温する制御手段と、を備えたことを特徴とするパーマネントウェーブ施術装置。
【請求項５】
前記通電手段と、前記生成手段と、前記制御手段とを筐体内に一体に備えたことを特徴とする請求項４に記載のパーマネントウェーブ施術装置。
【請求項６】
前記生成手段は、前記ミストの粒径を３μｍ以下に制御することを特徴とする請求項４または５に記載のパーマネントウェーブ施術装置。
【発明の詳細な説明】
【技術分野】
【０００１】
本発明は、毛髪に発熱体を有するロッドを巻き付けて毛髪にウェーブの癖付けを行うパーマネントウェーブ施術方法およびパーマネントウェーブ施術装置に関する。
【背景技術】
【０００２】
従来、被施術者の毛髪に、薬液を塗布すると共に発熱体を有するロッドを巻き付け、ロッドの発熱により毛髪を乾燥加温して毛髪にウェーブの癖付けを行うことができるパーマネントウェーブ施術方法が知られている（例えば、特許文献１参照）。一般に、毛髪は、乾燥加温によって水分が奪われて、水分不足によりダメージを受ける。このため、特許文献１記載の方法では、発熱体を有するロッドを被施術者の毛髪に巻き付けた状態で、被施術者の毛髪に対しミスト状の水溶液を噴霧して毛髪を湿熱加温することで、パーマネントウェーブ施術時の毛髪へのダメージを軽減している。
【先行技術文献】
【特許文献】
【０００３】
【特許文献１】特開２０１１−２４８３２号公報
【発明の概要】
【発明が解決しようとする課題】
【０００４】
しかしながら、特許文献１記載の方法ではミスト状の溶液を毛髪の内部まで浸透させることができず、ミスト噴霧による効能を十分に引き出すことができていなかった。
本発明は、上述した従来の技術が有する課題を解消し、パーマネントウェーブ施術時の毛髪へのダメージを軽減することができるパーマネントウェーブ施術方法およびパーマネントウェーブ施術装置を提供することを目的とする。
【課題を解決するための手段】
【０００５】
上記目的を達成するために、本発明は、パーマネントウェーブ施術方法であって、毛髪に所定の前処理を施した後に、前記毛髪をロッドに巻いて、前記毛髪のキューティクル間に液体のミストを浸透させた状態で、前記ロッドを加温する、ことを特徴とする。
この構成によれば、毛髪のキューティクルにミストを浸透させた状態で加温するため、ミストにより毛髪内部への水分の補給が実現でき、加温による毛髪の乾燥を軽減し、パーマネントウェーブ施術時の毛髪へのダメージを軽減することができる。
【０００６】
また本発明は、上記パーマネントウェーブ施術方法において、前記ミストの粒径が３μｍ以下の大きさに設定されていることを特徴とすることを特徴とする。
この構成によれば、ミストをキューティクル間の隙間から毛髪内部に十分に浸透させることができ、パーマネントウェーブ施術時の毛髪へのダメージを軽減することができる。
【０００７】
また本発明は、上記パーマネントウェーブ施術方法において、前記水溶液がプラチナアミノイオン水であることを特徴とすることを特徴とする。
この構成によれば、ミストの毛髪への浸透効果を高めることができ、パーマネントウェーブ施術時の毛髪へのダメージを軽減することができる。
【０００８】
また本発明は、パーマネントウェーブ施術装置であって、毛髪に巻いたロッドに通電する通電手段と、前記毛髪のキューティクル間に浸透させる液体のミストを生成する生成手段と、前記液体のミストを毛髪のキューティクル間に浸透させた状態で、前記ロッドに通電して加温する制御手段と、を備えたことを特徴とすることを特徴とする。
この構成によれば、毛髪のキューティクルにミストを浸透させた状態で加温するため、ミストにより毛髪内部への水分の補給が実現でき、加温による毛髪の乾燥を軽減し、パーマネントウェーブ施術時の毛髪へのダメージを軽減することができる。
【０００９】
また本発明は、上記パーマネントウェーブ施術装置において、前記通電手段と、前記生成手段と、前記制御手段とを筐体内に一体に備えたことを特徴とすることを特徴とする。
この構成によれば、装置の取り扱いや移動を簡単に行うことができ、使い勝手を向上することができる。
【００１０】
また本発明は、上記パーマネントウェーブ施術装置において、前記生成手段は、前記ミストの粒径を３μｍ以下に制御することを特徴とすることを特徴とする。
この構成によれば、ミストをキューティクル間の隙間から毛髪内部に十分に浸透させることができ、パーマネントウェーブ施術時の毛髪へのダメージを軽減することができる。
【発明の効果】
【００１１】
本発明によれば、毛髪のキューティクルにミストを浸透させた状態で加温するため、ミストにより毛髪内部への水分の補給が実現でき、加温による毛髪の乾燥を軽減し、パーマネントウェーブ施術時の毛髪へのダメージを軽減することができる。
【図面の簡単な説明】
【００１２】
【図１】本発明の実施形態に係るパーマネントウェーブ施術装置の使用状態を示す図である。
【図２】パーマネントウェーブ施術装置を前面側から視た斜視図である。
【図３】パーマネントウェーブ施術装置を背面側から視た斜視図である。
【図４】パーマネントウェーブ施術装置の内部構成を示す図であり、前面パネルおよび操作パネルを取り外したパーマネントウェーブ施術装置を前面側から視た斜視図である。
【図５】パーマネントウェーブ施術装置の内部構成を示す図であり、電装ユニット及びミスト生成ユニットを取り外したパーマネントウェーブ施術装置を前面側から視た斜視図である。
【図６】ミスト送出ユニットの構成を示す斜視図である。
【図７】ミスト生成ユニットの構成を示す斜視図である。
【図８】パーマネントウェーブ施術方法の作業の流れを示すフローチャートである。
【発明を実施するための形態】
【００１３】
以下、図面を参照して本発明を適用した実施形態について説明する。
図１に示すように、パーマネントウェーブ施術装置１は、湿式加温のパーマネントウェーブ（以下、パーマと省略する）施術方式により、被施術者の毛髪（頭髪）をウェーブ状にくせ付する際に用いる装置である。パーマネントウェーブ施術装置１は、被施術者の毛髪に巻いたロッド４５に通電してロッド４５の発熱により毛髪を加温するとともに、生成したミストＭを、被施術者の頭に被せたミスト用ヘアキャップ５０内に供給して毛髪を加湿する。なお、本実施形態における前後左右とは、被施術者の前後左右に基づくものである。
【００１４】
パーマネントウェーブ施術装置１は、装置本体１０と、装置本体１０に一端３１が接続されたホース３０と、を備えている。ホース３０は、他端３２に取り付けられた噴霧口３３が被施術者の頭に被せたミスト用ヘアキャップ５０内部に挿入されて、ミスト用ヘアキャップ５０に接続される。装置本体１０の内部で生成されたミストＭは、ホース３０を介してミスト用ヘアキャップ５０内に供給され、噴霧口３３から被施術者の毛髪に対して噴霧される。噴霧口３３は、ミストＭを被施術者の毛髪全体に対して満遍なく噴霧することができるように、ミストＭを幅広く分散して噴霧させることができるような形状に形成されている。
【００１５】
ミストＭは、ミスト生成用の液体を装置本体１０の内部に備えた圧電振動子板４４で振動させて生成される。ミスト生成用の液体としては、水道水や純水等の水、またはプラチナアミノイオン水等の水溶液を、装置の使用用途に応じて用いることができる。ミストＭは、圧電振動子板４４により粒径が３μｍ以下の大きさに設定されて生成される。
【００１６】
ロッド４５は、発熱体を有する加温式パーマ施術用のロッドである。各ロッド４５には、装置本体１０の端子部１７に接続された主コード５１から分配されたコード５２が接続されている。ロッド４５には、パーマ用溶剤（パーマ液１剤）を浸透させた被施術者の毛髪に巻きつけられる。被施術者の髪が巻きつけられたロッド４５には、主コード５１、コード５２を介して、所定の時間、所定の温度で加温するために制御された電流が装置本体１０より流される。
【００１７】
ホース３０は、噴霧口３３を所望の位置まで稼働できるフレキシブルホースである。そのため、ホース３０が届く範囲であれば、噴霧口３３の向き及び位置は、自在に変更することができる。
【００１８】
ミスト用ヘアキャップ５０は、被施術者の頭に被せられるビニール製のキャップである。ホース３０を経由して噴霧口３３から噴霧される装置本体１０の内部で生成されたミストＭは、ミスト用ヘアキャップ５０内に滞留する。これにより、ミストＭの毛髪に対する噴霧効率を高めることができる。また、ロッド４５から発生する熱を、ミスト用ヘアキャップ５０内に滞留させることができるため、当該熱を利用して、ミスト用ヘアキャップ５０内の温湿効果を高めることができる。
また、ミスト用ヘアキャップ５０は、被施術者の頭に被せる開口５９ａに、ミスト用ヘアキャップ５０を毛髪の生え際周辺で弾性力により保持する弾性部材５９を備えている。
【００１９】
また、ミスト用ヘアキャップ５０には、左右の略中央に前後に亘って延びるジッパー５５が設けられている。ジッパー５５は、二つのスライダー５７ａ，５７ｂを備え、一方のスライダー５７ａをジッパー５５の前端に、他方のスライダー５７ｂをジッパー５５の後端に動かすことで、ジッパー５５が前後に亘って開いた状態となる。パーマ施術の際に施術者は、被施術者の頭にミスト用ヘアキャップ５０を被せ、毛髪にロッド４５を巻き付ける及びロッド４５にコード５２を接続する作業を、ジッパー５５が前後に亘って開いた開口部を介して行うことができる。毛髪にロッド４５を巻き付け、各ロッド４５にコード５２を接続した後、施術者は、ジッパー５５が前後に亘って開いた開口部を介してミスト用ヘアキャップ５０内に噴霧口３３を挿入し、噴霧口３３が所望の位置に配置されるように、スライダー５７ａ，５７ｂをそれぞれホース３０に向かって動かす。これにより、ミスト用ヘアキャップ５０の開口部を閉じると共に、ミスト用ヘアキャップ５０にホース３０を接続することができる。
【００２０】
また、ミスト用ヘアキャップ５０には、開閉自在の線ファスナー５６が複数設けられている。各線ファスナー５６は、設置場所に応じて異なる長さであっても良い。ミストＭの噴霧中に線ファスナー５６を開くことで、ミストＭを意図的にミスト用ヘアキャップ５０の外部に放出させることができる。この構成によれば、被施術者に対してミストＭの効果を視覚的に演出することができる。
また、ミスト用ヘアキャップ５０には、被施術者の頭に被せた状態でミスト用ヘアキャップ５０の形状を所定の形状に保つことができるように複数本のワイヤー５８が設けられている。この構成によれば、ミスト用ヘアキャップ５０を、毛髪全体に対して万遍なくミストＭを分散して噴霧できる所定の形状に保つことができる。
【００２１】
装置本体１０は、図１、図２、及び図３に示すように、前面パネル１１ａと、背面パネル１１ｂと、底板１１ｃと、操作パネル１２と、を有する筐体１１を備える。装置本体１０は、背面パネル１１ｂにホース３０の一端３１が接続される噴出口１３を備える。また、背面パネル１１ｂには、後述するミスト生成ユニット（生成手段）２０のメンテナンス時に、ミスト生成ユニット２０を出し入れ可能なメンテナンス開口１５が設けられ、当該メンテナンス開口１５にはメンテナンスパネル１６が開閉自在に取り付けられている。
【００２２】
操作パネル１２は、図２に示すように、装置本体１０の上部に設けられ、筐体１１の天面を構成する。操作パネル１２は、操作をする人が操作ボタンを見やすく、且つ、操作しやすいように、操作面が斜めに設けられている。
操作パネル１２には、電源ボタン６１、水量インジケーター６２とともにパーマネントウェーブ施術装置１の種々の操作を行う複数の操作ボタンと、パーマネントウェーブ施術装置１の種々の状態を示す複数のインジケーターが設けられている。
【００２３】
また、操作パネル１２は、操作領域が、第１のゾーンＡ、第２のゾーンＢ、第３のゾーンＣに分けられている。操作パネル１２の上方には、ロッド４５に電流を流す主コード５１が接続される端子部１７（以下端子部１７Ａ及び端子部１７Ｂという）が複数設けられている。
【００２４】
操作パネル１２の第１のゾーンＡは、第１のゾーンＡ側に設けられた端子部１７Ａに接続された主コード５１を介して電流が供給されるロッド４５を加温する温度および時間の設定と、加温の開始及び停止を操作する領域である。また、第１のゾーンＡには、複数の端子部１７Ａのうち主コード５１が接続された端子部をＬＥＤの点灯により示すインジケーター６３Ａが設けられている。また、第１のゾーンＡには、端子部１７Ａに接続された主コード５１を介して電流が供給されるロッド４５を加温する温度、時間がそれぞれいくらに設定されたのかＬＥＤの点灯で示す複数のインジケーター６４Ａが設けられている。
【００２５】
操作パネル１２の第２のゾーンＢは、第２のゾーンＢ側に設けられた端子部１７Ｂに接続された主コード５１を介して電流が供給されるロッド４５を加温する温度および時間の設定と、加温の開始及び停止を操作する領域である。また、第２のゾーンＢには、複数の端子部１７Ｂのうち主コード５１が接続された端子部をＬＥＤの点滅により示すインジケーター６３Ｂが設けられている。また、第２のゾーンＢには、端子部１７Ｂに接続された主コード５１を介して電流が供給されるロッド４５を加温する温度、時間がそれぞれいくらに設定されたのかＬＥＤの点滅で示す複数のインジケーター６４Ｂが設けられている。
【００２６】
なお、第１のゾーンＡおよび第２のゾーンＢで設定可能なロッド４５を加温する温度及び加温する時間は、毛髪に対して所定の薬剤と合わせて使用することで、最も痛みが少なく、且つ、被施術者が希望するカール及びウェーブが実現できることが実証された加温温度及び加温時間の組み合わせが採用されている。なお、本実施形態では、設定可能な加温温度は、１３０℃、１２０℃、１１０℃、及び、６０℃（トリートメント）であり、加温時間は９分及び６分である。例えば、６０℃の加温温度設定は、毛髪のカール及びウェーブが緩やかなカーブを描き、非常に柔らかい印象の毛髪の仕上がりが望まれる場合に好適に用いることができる温度である。また、６０℃の加温温度設定では、毛髪の高い美容効果（トリートメント効果）を得ることができ、使用する毛髪修繕剤の効果を著しく高めることができる。また、例えば１２０℃の加温温度設定では、毛髪のカール及びウェーブがしっかりとしたカーブを描く仕上がりが望まれる場合に好適に用いることができる温度である。
【００２７】
操作パネル１２の第３のゾーンＣは、ミストＭを噴霧する時間の設定、及び、ミストＭの噴霧の開始及び停止を操作する領域である。
これらの構成によれば、ロッド４５を加温する際に、被施術者の毛髪の各部での髪質、髪の量、髪の長さ、使用するロッドの太さ等の条件に応じて２つの異なる動作環境を設定することができ、施術後の毛髪の仕上がりを高めることができる。
【００２８】
筐体１１の背面パネル１１ｂには、筐体１１の後上方に延び、装置本体１０に接続されたホース３０及び主コード５１をぶら下げた状態で保持する保持部４０が取り付けられている。保持部４０は、ホース３０及び主コード５１がぶら下げられるリング状のリング体４１Ｂと、背面パネル１１ｂに連結され、リング体４１Ｂと背面パネル１１ｂとの間に橋架される２本の棒体４１Ａと、から構成される。リング体４１Ｂには、各主コード５１を引き掛ける引掛部４１Ｃが複数設けられる。
これらの構成によれば、装置本体に接続されるホース３０や複数の主コード５１をすっきりとまとめて保持することができる。
【００２９】
筐体１１の背面パネル１１ｂには、図３に示すように、給水用のボトル６５が収容されるボトル収容部１４が形成されている。ボトル収容部１４は、ボトル６５が着脱自在に形性されている。水量インジケーター６２（図２参照）が、水溶液の水量が補充レベルに達したことを示した場合には、ボトル６５をボトル収容部１４から取り外し、ボトル６５に水溶液を充填して、ボトル６５を再びボトル収容部１４に収容することで、ボトル６５に充填された水溶液がミスト生成ユニット２０に供給される。図示は省略するが、ボトル６５の充填口は、給水キャップにより閉封される。給水キャップは、ボトル６５を逆さにしても水溶液がこぼれないが、ミスト生成ユニット２０の給水口２８に挿入され、且つ、ミスト生成ユニット２０の貯水タンク４２内の水溶液量が満水ではない時に、ボトル６５内の水溶液をミスト生成ユニット２０内に供給するように構成されている。
【００３０】
また、背面パネル１１ｂには、ミスト生成ユニット２０の貯水タンク４２内乾燥運転のＯＮ／ＯＦＦを行う乾燥運転操作ボタン６６が設けられている。乾燥運転操作ボタン６６が押下され、貯水タンク４２内乾燥運転がＯＮされると、貯水タンク４２に残った水溶液は不図示の排水ドレーンによって排水されると共に、後述する送風ファンにより貯水タンク４２内に送風され、貯水タンク４２内が乾燥される。なお、乾燥運転操作ボタン６６には、ＬＥＤの点灯により乾燥運転がＯＮである旨を示すインジケーター６６ａが設けられている。貯水タンク４２内乾燥運転は、乾燥運転操作ボタン６６が再び押下され乾燥運転がＯＦＦされるまで継続する構成であっても良いし、送風ファンによる送風を所定時間行った後に自動で停止する構成であっても良い。
【００３１】
また、背面パネル１１ｂには、商用電圧ＡＣ１００Ｖのコンセントに接続された電源ケーブルが差し込まれるインレット端子１９が設けられている。装置本体１０は、筐体１１内に設けられた電源ユニット（通電手段）２１により入力された電力を変換、調整して５Ｖ、及び、２４Ｖの出力電力を生成することができる。装置本体１０は、電源ボタン６１がＯＮされると、まず、装置本体１０の各動作機構の始動準備を行い、続いて、２４Ｖの出力電力によりロッド４５の加温やミストＭの発生を行い、５Ｖの出力電力により装置本体の制御を行う。
【００３２】
底板１１ｃは、背面パネル１１ｂに設けられたメンテナンス開口１５の左右両端に対応する位置に設けられ、外方に突出する一対のガイド脚１８を備えている。ガイド脚１８は、メンテナンス開口１５を介してミスト生成ユニット２０を筐体１１内部に挿入する際に、ミスト生成ユニット２０をメンテナンス開口１５に対してガイドする役割を有する。ミスト生成ユニット２０は、ガイド脚１８の上面に沿ってスライドさせることで容易に筐体１１内部に挿入することができる。また、ガイド脚１８は、ホース３０やコード５１、５２が不意に引っ張られた際に、パーマネントウェーブ施術装置１の転倒を防止する役割を有する。
【００３３】
続いて、図４〜図７を用いて、パーマネントウェーブ施術装置１の内部構成について説明する。
筐体１１内には、図４に示すように、ミスト生成ユニット２０と、電源ユニット２１と、ミスト放出ユニット２２、とを備えている。電源ユニット２１は、被施術者の毛髪に巻いたロッド４５に通電する通電手段として機能する。また、電源ユニット２１は、図示は省略するが、制御基板を備え、パーマネントウェーブ施術装置１の各部を制御する制御手段（制御部）７０として機能する。ミスト放出ユニット２２はファン取付用アダプタ２３の内側に設けられた送風ファン（不図示）を備え、ミスト生成ユニット２０により生成されたミストＭを、送風ファンを駆動した際の風圧でホース３０を介してミスト用ヘアキャップ５０内に噴霧する。
【００３４】
電源ユニット２１は、底板１１ｃに着脱自在に取り付けられた第１の支持台６７に支持されて、前面パネル１１ａを取り外した筐体１１の前面側からメンテナンスを行うことができるように、筐体１１内で前面パネル１１ａに寄せて配設される。電源ユニット２１の下方には、第１の支持台６７によって底板１１ｃとの間に、ミスト生成ユニット２０の電装部４６が収容される空間Ｓが形成される。
【００３５】
図５に示すように、ミスト放出ユニット２２は、第２の支持台６８の上に配設されている。第２の支持台６８は、第１の支持台６７と略同じ高さに形成され底板１１ｃに着脱自在に取り付けられている。これにより、第１の支持台６７と底板１１ｃとの間に形成される空間Ｓは、第２の支持台６８と底板１１ｃとの間に連通し、かつ、メンテナンス開口１５に連通する。メンテナンス開口１５を介して筐体１１内に挿入されたミスト生成ユニット２０は、第１の支持台６７及び第２の支持台６８と底板１１ｃとの間に形成された空間Ｓに収容される。
第２の支持台６８の天板部２６は、ミスト放出ユニット２２の、後述する貯水タンク４２の蓋としての機能を有する。ミスト放出ユニット２２をメンテナンス開口１５を介して筐体１１内に挿入した際には、貯水タンク４２が天板部２６により覆われる。
【００３６】
ミスト放出ユニット２２は、収集部２５と、放出ダクト２４と、送風ダクト６９とを備える。第２の支持台６８の天板部２６の上には、天板部２６と略同形状に形成された枠２５ａが載置され、枠２５ａは、天板部２６にねじで固定される。収集部２５は、枠２５ａと一体に形成され、かつ、下方に開口する箱形状に形成されている。枠２５ａには、収集部２５の外周に、補強用の複数のリブが格子状に設けられている。
送風ダクト６９の上端には、不図示の送風ファンを送風ダクト６９に取り付けるためのファン取付用アダプタ２３が取り付けられる。ファン取付用アダプタ２３によって取り付けられた送風ファンが駆動すると、背面パネル１１ｂの上部に設けられた吸気孔７１を介してパーマネントウェーブ施術装置１周辺の空気が吸い込まれて送風ダクト６９を介して収集部２５に送風される。
【００３７】
送風ダクト６９から収集部２５に送風されると、収集部２５内に収集されたミストＭが、風圧により放出ダクト２４に導かれる。放出ダクト２４は、図６に示すように、外部に開口する放出口２７を有する。放出口２７は、背面パネル１１ｂに設けられた噴出口１３に接続される。これにより、ミスト生成ユニット２０により生成されたミストＭは、収集部２５から放出ダクト２４に導かれ、放出口２７、噴出口１３、ホース３０、噴霧口３３を介して、ミスト用ヘアキャップ５０内に噴霧される。
【００３８】
また、第２の支持台６８の天板部２６には、給水用のボトル６５の給水キャップが差し込まれる給水口２８が形成されている。
ミスト生成ユニット２０の、貯水タンク４２には、給水口２８に対応する位置には、図７に示すように、給水用のボトル６５の給水キャップに設けられた止水栓を抜く抜芯４３が設けられている。背面パネル１１ｂに設けられたボトル収容部１４に収容されたボトル６５の給水キャップは、給水口２８に差し込まれ、給水キャップの止水栓は、ミスト生成ユニット２０の貯水タンク４２に設けられた抜芯４３により押し込まれて開けられる。これにより、貯水タンク４２内の水溶液の水面が下がった際には、ボトル６５内の水溶液が貯水タンク４２内に流れ出る。
【００３９】
ミスト生成ユニット２０は、筐体１１の前面側に配置される電装部４６と、筐体１１の背面側に配置される貯水タンク４２と、を備える。ミスト生成ユニット２０は、図示は省略するが、電装部４６に不図示の蓋を取り付けた状態で、図中に示した矢印Ｘの方向に背面パネル１１ｂのメンテナンス開口１５から筐体１１内に挿入される。
貯水タンク４２の底部には、ボトル６５により給水された液体をミスト化するための圧電振動子板４４が複数設けられている。本実施形態では、６個の圧電振動子板４４が、予め貯水タンク４２の底部に形成され６個の凹部にそれぞれ収容されて備えられている。
電装部４６は、箱状の電装箱４６ａ内に、圧電振動子板４４を動作させるための動作用基板４７が、各圧電振動子板４４に対して１基板ずつ備えられている。本実施形態では、６枚の動作用基板４７が上下２段に配置されて備えられている。また、電装部４６には、動作用基板４７が発する熱を放熱させる放熱板４８が備えられている。
【００４０】
貯水タンク４２に備えられた圧電振動子板４４は、それぞれ動作用基板４７によって、２．４ＭＨｚの動作周波数を得て振動する。圧電振動子板４４が振動すると、貯水タンク４２内の液体がエネルギーを持ち、粒径３μｍ以下のミストＭが生成される。なお、圧電振動子板４４は、装置本体１０の電源ユニット２１から２４Ｖの動作電圧を得て動作するように構成されている。
【００４１】
ミスト生成ユニット２０には、貯水タンク４２の外周に沿って防水パッキン（不図示）が取り付けられる溝４９が設けられている。ミスト生成ユニット２０をメンテナンス開口１５から筐体１１内に差し込んだ際には、溝４９に取り付けられた防水パッキンが第２の支持台６８の天板部２６との間で押し潰されるように構成されている。これにより、貯水タンク４２内に貯水された液体が電装部４６、或いは、筐体１１内に漏れ出るのを防止することができる。
【００４２】
次に、図８のフローチャートを用いて、パーマネントウェーブ施術装置１により被施術者の毛髪にパーマを施術する際の作業の流れについて説明する。
パーマネントウェーブ施術装置１を用いて被施術者の毛髪にパーマを施術する際には、まず、施術者は、例えば洗髪等の所定の前処理を行った被施術者の毛髪にパーマ液１剤を塗布し、パーマ液１剤を塗布し状態で所定時間放置する（ステップＳ１）。パーマ液１剤は、毛髪を構成するキューティクルをアルカリ成分で開き、ジスルフィド結合を切断することで毛髪の形状を任意の形状に形成可能とするものである。なお、パーマ液１剤を塗布した状態で放置する時間は、各被施術者の毛髪の状態に合わせて施術者が適宜に決定する。
【００４３】
所定時間放置後、施術者は、続いて、被施術者の毛髪に塗布されたパーマ液１剤を洗い流し、タオルで毛髪の余分な水分をとる（ステップＳ２）。次に、施術者は、被施術者が希望する仕上がりになるようにロッド４５を被施術者の毛髪に巻き付ける（ステップＳ３）。続いて、施術者は、ミスト用ヘアキャップ５０を被施術者の頭に被せる（ステップＳ４）。次に、施術者は、ミスト用ヘアキャップ５０のジッパー５５を、一方のスライダー５７ａをジッパー５５の前端に、他方のスライダー５７ｂをジッパー５５の後端に動かして、前後に亘って開いた開口部を介して各ロッド４５に電源を供給するコード５２を接続する（ステップＳＳ５）。
【００４４】
続いて、施術者は、装置本体１０内で生成されたミストＭを噴霧する噴霧口３３をミスト用ヘアキャップ５０内に挿入する（ステップＳ６）。次に、施術者は、ミスト用ヘアキャップ５０のジッパー５５を、スライダー５７ａ、５７ｂをホース３０に向かって動かして、噴霧口３３がミスト用ヘアキャップ５０内に挿入された状態で、開口部を閉じる（ステップＳ７）。
【００４５】
続いて、施術者は、被施術者の毛髪の状態や被施術者が希望する仕上がりに応じて、装置本体１０の操作パネル１２から、第１のゾーンＡ、第２のゾーンＢ毎のロッド４５の加温時間及び加温温度を設定する（ステップＳ８）。次に、施術者は、ロッドの加温を開始すると同時に、ミストＭの噴霧を開始する（ステップＳ９）。
毛髪にパーマを施術する際には、パーマ液１剤と同様にＰＨがアルカリ（ＰＨ１０〜１１）であるプラチナアミノイオン水をミスト化したミストＭを被施術者の毛髪に噴霧することにより、毛髪のＰＨ安定化の補助効果を得ることができ、パーマ液１剤及びミストＭの毛髪への浸透力を高めることができる。このため、プラチナアミノイオン水をミスト化したミストＭをロッド４５による加温中に毛髪に対して噴霧することで、他の液体をミスト化したミストＭと比較して、毛髪内部の水分保持量を高めることができるとともに、パーマ液１剤の効果を促進することができる。
【００４６】
また、パーマ施術において、毛髪のジスルフィド結合がパーマ液１剤に含まれるアルカリ性物質で切断された状態になると、毛髪内部の水分やたんぱく質等の成分が流出し、毛髪の痛みの原因となる。一方、毛髪のジスルフィド結合が切断されることで、毛髪内部と、毛髪外部との間で流通路ができている状態となる。このため、粒径が３μｍ以下である毛髪内部への浸透効率の高いミストＭを被施術者の毛髪に対して噴霧する加湿効果により、毛髪内部へ水分の補給が実現できる。よって、ミストＭを被施術者の毛髪に対して噴霧することで、加温のみを行った場合のパーマ施術方法と比べて毛髪の乾燥を軽減することができる。また、既に損傷を受け乾燥状態の毛髪に対してパーマネントウェーブ施術装置１を用いて施術を行うことで、ミストＭを乾燥状態の毛髪に噴霧して毛髪の水分保持量を増すことができ、毛髪の損傷を改善することができる。
【００４７】
また、ミストＭの噴霧に当たり、被施術者の頭にミスト用ヘアキャップ５０を被せることで、毛髪へのミストＭの噴霧量を増すことができるとともに、ロッド４５から発した熱を利用してミスト用ヘアキャップ５０内を加温湿状態とし、毛髪に対するパーマ液１剤の浸透促進と、毛髪の乾燥予防及びトリートメント効果を高めることができる。これにより、毛髪に対する損傷を小さくすることができ、且つ、被施術者が希望する毛髪のウェーブ形状を得ることができる。
【００４８】
装置本体１０を制御する制御部７０は、施術者により設定されたロッド４５の加温時間が終了したか否かを判定し（ステップＳ１０）、設定時間が終了した場合に（ステップＳ１０：Ｙｅｓ）、ロッド４５の加温およびミストＭの噴霧を終了する（ステップＳ１１）。
ロッド４５の加温およびミストＭの噴霧が終了したことを確認した後、施術者は、複数のロッド４５のうちの少なくとも１つのロッド４５を被施術者の毛髪から外して、毛髪の状況を確認する（ステップＳ１２）。続いて、施術者は、被施術者の毛髪の状態から、切断された毛髪のジスルフィド結合を再結合し復活させるパーマ液２剤の塗布が必要か否かを判断する（ステップＳ１３）。
【００４９】
パーマ液２剤の塗布が必要ではないと判断した場合には（ステップＳ１３：Ｎｏ）、施術者は、ロッド４５を被施術者の毛髪から取り外す（ステップＳ１６）。一方、パーマ液２剤の塗布が必要であると判断した場合には（ステップＳ１３：Ｙｅｓ）、施術者は、パーマ液２剤を被施術者の毛髪に塗布する（ステップＳ１４）。なお、パーマ液２剤の毛髪への塗布は、被施術者の毛髪の状態に応じてロッド４５を毛髪に巻いたままの状態で行っても良いし、或いは、ロッド４５を毛髪から外した状態で行っても良い。パーマ液２剤を被施術者の毛髪に塗布し、所定時間経過した後（ステップＳ１５）に、施術者は、残りのロッド４５を被施術者の毛髪から取り外す（ステップＳ１６）。施術者は、ロッド４５を被施術者の毛髪から取り外した後、後処理として、毛髪に対してトリートメントを実施しても良い。
【００５０】
以上説明したように、本発明を適用した実施形態によれば、毛髪に所定の前処理を施した後に、毛髪をロッド４５に巻いて、毛髪のキューティクル間に液体のミストＭを浸透させた状態で、ロッド４５を加温する。これにより、パーマ液１剤によりキューティクルが開かれ、且つ、ジスルフィド結合が切断された毛髪に対してミストＭを浸透させた状態で加温するため、毛髪に与えるミストＭにより毛髪内部への水分の補給が実現でき、加温による毛髪の乾燥を軽減し、パーマネントウェーブ施術時の毛髪へのダメージを軽減することができる。
【００５１】
また、ミストＭの粒径が３μｍ以下の大きさに設定されている。これにより、パーマ液１剤によりキューティクルが開かれ、且つ、ジスルフィド結合が切断された毛髪の水分の通り道から、ミストＭを毛髪内部に浸透させやすくすることができ、毛髪内部の水分量を高めて、パーマネントウェーブ施術時の毛髪へのダメージを軽減することができる。
【００５２】
また、水溶液がプラチナアミノイオン水である。これにより、パーマ液１剤と同様にＰＨがアルカリの水溶液をミスト化してミストＭを生成することで、毛髪のＰＨの安定化を図り、パーマ液１剤の毛髪への効果を促進することができると共に、ミストＭの毛髪への浸透力を高めることができる。これにより、パーマネントウェーブ施術時の毛髪へのダメージを軽減することができると共に、被施術者が希望するカール及びウェーブを実現することができる。
【００５３】
また電源ユニット２１と、ミスト生成ユニットと、制御部７０とを筐体１１内に一体に備えた。これにより、パーマネントウェーブ施術装置１の取り扱いや移動を簡単に行うことができ、使い勝手を向上することができる。
【００５４】
なお、パーマネントウェーブ施術装置１は、３μｍ以下という粒径の小さなミストＭを噴霧するため、被施術者の毛髪にパーマネントウェーブを施術する装置として用いる他に、頭皮に対して毛穴に蓄積した皮脂などを取り除く装置として好適に用いることができる。また、ミスト噴霧口３３をホース３０の先端に設けた構成としたため、ミストＭを任意の位置及び方向に噴霧させることができ、例えば顔にミストＭを噴霧して保湿する美容器具として用いることもできる。
【符号の説明】
【００５５】
１  パーマネントウェーブ施術装置
１０  装置本体
１１  筐体
１２  操作パネル
２０  ミスト生成ユニット（生成手段）
２１  電源ユニット（通電手段）
３３  噴霧口
５０  ミスト用ヘアキャップ
５１  主コード
５２  コード
７０  制御部（制御手段）
Ｍ  ミスト
【図１】
2014054379.tif 000003
【図２】
2014054379.tif 000004
【図３】
2014054379.tif 000005
【図４】
2014054379.tif 000006
【図５】
2014054379.tif 000007
【図６】
2014054379.tif 000008
【図７】
2014054379.tif 000009
【図８】
2014054379.tif 000010